(57)【要約】【課題】上半身を起きあがらせない状態と上半身を起きあがらせた状態とでベッド使用者の手の届く範囲ができるだけ異ならないように、ベッドを動作させる。【解決手段】床支持体１は、ベッド使用者の上半身側が位置される寝具Ｍの一部を支持する上半身側支持部１０を、他部に対し、回動起立可能に組み付けて構成されている。床支持体１には、回転駆動される主軸１３と、主軸１３の正転に伴って起立するようにこの主軸１３に組み付けられた上半身側支持部１０の支持アーム１４とが備えられている。支持アーム１４の起立に伴って上半身側支持部１０が起立されるようにしてあり、しかも、上半身側支持部１０の起立方向への移動量に応じて床支持体１をベッドのヘッド側Ｈｄにスライド移動させると共に、この上半身側支持部１０の伏倒方向への移動量に応じて床支持体１をベッドのフット側Ｆｔにスライド移動させる連係移動手段３を備えている。【選択図】　　　図３
2004016587.tif 000002
【特許請求の範囲】
【請求項１】
ベッドの長さ方向に沿ってスライド移動可能にベース体上に支持される床支持体を有し、
この床支持体は、少なくとも、ベッド使用者の上半身側が位置されるマットレスなどの寝具の一部を下方より支持する上半身側支持部を、他部に対し、回動起立可能に組み付けて構成されており、
この床支持体には、
モータ等の駆動手段によって回転駆動される主軸と、
この主軸の正転に伴って起立するようにこの主軸に組み付けられた上半身側支持部の支持アームとが備えられており、
この支持アームの起立に伴って上半身側支持部が起立されるようにしてあり、
しかも、この上半身側支持部の起立方向への移動量に応じて床支持体をベッドのヘッド側にスライド移動させると共に、この上半身側支持部の伏倒方向への移動量に応じて床支持体をベッドのフット側にスライド移動させる連係移動手段を備えていることを特徴とするベッド。
【請求項２】
ベッド使用者の頭部が、常時仮想の鉛直線上に位置されるように、上半身側支持部の移動量に応じて床支持体がスライド移動されるようにしてあることを特徴とする請求項１記載のベッド。
【請求項３】
主軸が、ベッドの幅方向に回転軸線を沿わせる向きに配されていると共に、
連係移動手段が、
主軸の正転に伴ってベッドのヘッド側にアーム端側を移動させるようにこの主軸に組み付けられたリンクアームと、
主軸との間にベッドの長さ方向において間隔を置いて配されると共に、ベース体側に一端側を回動可能に組み付け、かつ、この一端と他端との間において床支持体に回動可能に組み付けられた第一リンクバーと、
ベッドの長さ方向に沿って配されると共に、リンクアームのアーム端側に一端側を回動可能に組み付け、かつ、第一リンクバーの他端側に他端側を回動可能に組み付けさせた第二リンクバーとを備えて構成してあることを特徴とする請求項１又は請求項２記載のベッド。
【発明の詳細な説明】
【０００１】
【発明の属する技術分野】
この発明は、ベッド使用者の上半身側を必要に応じて起きあがらせるように、マットレスなどの寝具を支持する床支持体の一部を起伏可能に構成させてなるベッドの改良に関する。
【０００２】
【従来の技術】
ベッド使用者の上半身側を必要に応じて起きあがらせるように、マットレスなどの寝具を支持する床支持体の一部を起伏可能に構成させてなるベッドがある。かかる床支持体の一部の起伏動は、典型的には、ベッド使用者の操作により駆動される電動モータなどによってなされる。
【０００３】
【発明が解決しようとする課題】
しかるに、単純にベッド使用者の上半身側を起きあがらせてしまうこととすると、起きあがり量が大きくなればなるほどベッド使用者の上半身はベッドのフット側に移動してしまうこととなる。このため、このように上半身を起きあがらせない状態においてベッド使用者の手の届く範囲と上半身を起きあがらせた状態においてベッド使用者の手の届く範囲とが異なってしまう事態を少なからず生じさせることとなる。例えば、上半身を起きあがらせない状態においてベッド使用者の手が届いていたサイドテーブル上の物品などに、上半身を起きあがらせた状態においてはベッド使用者の手が届かなくなってしまう、といった事態が生じる。
【０００４】
そこでこの発明は、この種のベッドにおいて、上半身を起きあがらせない状態においてベッド使用者の手の届く範囲と上半身を起きあがらせた状態においてベッド使用者の手の届く範囲とができるだけ異ならないように、ベッドを動作させることを主たる目的の一つとする。また、こうした動作を、シンプルで、外観上目立たない構造をもって実現することを主たる目的の他の一つとする。
【０００５】
【課題を解決するための手段】
前記目的を達成するために、請求項１記載の発明にあっては、ベッドが以下の（１）〜（４）の構成を備えたものとした。
（１）ベッドの長さ方向に沿ってスライド移動可能にベース体上に支持される床支持体を有し、
（２）この床支持体は、少なくとも、ベッド使用者の上半身側が位置されるマットレスなどの寝具の一部を下方より支持する上半身側支持部を、他部に対し、回動起立可能に組み付けて構成されており、
（３）この床支持体には、
モータ等の駆動手段によって回転駆動される主軸と、
この主軸の正転に伴って起立するようにこの主軸に組み付けられた上半身側支持部の支持アームとが備えられており、
この支持アームの起立に伴って上半身側支持部が起立されるようにしてあり、
（４）しかも、この上半身側支持部の起立方向への移動量に応じて床支持体をベッドのヘッド側にスライド移動させると共に、この上半身側支持部の伏倒方向への移動量に応じて床支持体をベッドのフット側にスライド移動させる連係移動手段を備えている。
【０００６】
かかる構成によれば、
（１）駆動手段を主軸を正転させるように駆動させることによって、支持アームを起立させることができ、この支持アームの起立によって上半身側支持部を所望の角度分起立させることができる。これにより、ベッド使用者の上半身を所望の位置に起きあがらせることができる。
（２）また、前記連係移動手段によって、上半身側支持部の起立方向への移動量に応じて床支持体をベッドのヘッド側にスライド移動させることができることから、前記のように上半身を起きあがらせたベッド使用者の上半身をベッドのヘッド側にとどまらさせることができる。これにより、上半身を起きあがらせない状態においてベッド使用者の手の届く範囲と上半身を起きあがらせた状態においてベッド使用者の手の届く範囲とができるだけ異ならないようにすることができる。
（３）また、駆動手段を主軸を逆転させるように駆動させることによって、起立された支持アームを伏倒させることができ、この支持アームの伏倒によって上半身側支持部を所望の角度分伏倒させることができる。これにより、ベッド使用者の上半身を所望の位置に降ろすことができる。
（４）また、前記連係移動手段によって、上半身側支持部の伏倒方向への移動量に応じて床支持体をベッドのフット側にスライド移動させることができることから、この場合にあっても、ベッド使用者の上半身をベッドのヘッド側の一定位置にとどまらさせることができる。
【０００７】
また、請求項２記載の発明にあっては、請求項１記載のベッドがさらに、ベッド使用者の頭部が、常時仮想の鉛直線上に位置されるように、上半身側支持部の移動量に応じて床支持体がスライド移動されるようにしてあることを特徴としている。
【０００８】
かかる構成によれば、上半身を起きあがらせない状態においてベッド使用者の手の届く範囲と上半身を起きあがらせた状態においてベッド使用者の手の届く範囲とを、ほぼ一致させることができる。
【０００９】
また、請求項３記載の発明にあっては、請求項１又は請求項２記載のベッドにおける主軸が、ベッドの幅方向に回転軸線を沿わせる向きに配されていると共に、
連係移動手段が、
主軸との間にベッドの長さ方向において間隔を置いて配されると共に、ベース体側に一端側を回動可能に組み付け、（以下、この組み付け箇所を支点部と称する。）かつ、この一端と他端との間において床支持体に回動可能に組み付けられた（以下、この組み付け箇所を作用点部と称する。）第一リンクバーと、
ベッドの長さ方向に沿って配されると共に、リンクアームのアーム端側に一端側を回動可能に組み付け、かつ、第一リンクバーの他端側に他端側を回動可能に組み付けさせた（以下、この組み付け箇所を力点部と称する。）第二リンクバーとを備えて構成してあることを特徴としている。
【００１０】
かかる構成によれば、主軸の正転によって上半身側支持部が起立方向に移動されると共に、この主軸の正転によって移動されるリンクアームにより第一リンクバーの他端側をベッドのヘッド側に引っ張ることができる。このように引っ張られる第一リンクバーは、その支点部においてベース体に回動可能に組み付けていると共に、この一端と他端との間にある作用点部において床支持体に回動可能に組み付けられていることから、このリンクアームの移動により床支持体はベッドのヘッド側にスライド移動される。
【００１１】
また、主軸の逆転によって起立された上半身側支持部が伏倒方向に移動されると共に、この主軸の逆転によって移動されるリンクアームにより第一リンクバーの他端側をベッドのフット側に押し込むことができる。このように押し込まれる第一リンクバーは、その支点部においてベース体に回動可能に組み付けていると共に、この一端と他端との間にある作用点部において床支持体に回動可能に組み付けられていることから、このリンクアームの移動により床支持体はベッドのフット側にスライド移動される。
【００１２】
これにより、上半身側支持部の起立方向への移動量に応じて床支持体をベッドのヘッド側にスライド移動させることができると共に、この上半身側支持部の伏倒方向への移動量に応じて床支持体をベッドのフット側にスライド移動させることができる。
【００１３】
かかる連係移動手段は、前記リンクアーム、第一リンクバーおよび第二リンクバーの三点から構成できることから、シンプルかつ最小の部品点数をもって、ベッドを前記のように無理なく動作させることができる。
【００１４】
また、これらの連係移動手段を、寝具により上方から覆われるベッド内部、つまり、床支持体およびベース体の内方に納めさせることができ、ベッドの外観性を損なうことなく、ベッドを前記のように動作させることができる。また、連係移動手段がベッドの使用上の邪魔となることもない。
【００１５】
また、前記力点部と作用点部との間のストロークを変更することにより、リンクアームの移動量、つまり、主軸の回転量に対する床支持体のスライド移動量を容易に変更することができる。具体的には、作用点部が支点部に近付くほど、床支持体のスライド移動量を小さくすることができ、作用点部が力点部に近付くほど、床支持体のスライド移動量を大きくすることができる。
【００１６】
【発明の実施の形態】
以下、図１ないし図１０に基づいて、この発明の典型的な実施の形態について説明する。
【００１７】
なお、ここで図１ないし図３は、実施の形態にかかるベッドを側方から見た状態として示しており、図１、図２、図３の順で床支持体１を構成する上半身側支持部１０が起立され、図３、図２、図１の順でかかる上半身側支持部１０が伏倒される。
【００１８】
図４は、かかる上半身側支持部１０の起立方向への移動により上半身側を起きあがらされるベッド使用者の頭部を仮想の鉛直線にほぼ沿って移動させるために必要となる床支持体１のスライド移動の量を導くための条件を理解しやすいように示した概念図である。
【００１９】
また、図５は、かかるベッドを構成する床支持体１における上半身側支持部１０以外の他部（以下、床支持体１の主体部１１と称する。）と、ベース体２の主要部を斜視の状態として示しており、上半身側支持部１０と連係移動手段３を省略して表している。
【００２０】
また、図６は、かかるベッドを構成する床支持体１における主体部１１と、ベース体２の主要部と、連係移動手段３とを斜視の状態として示しており、上半身側支持部１０を省略して表している。
【００２１】
また、図７は、上半身側支持部１０が水平位置にある状態における床支持体１とベース体２とを上方から視た状態で示しており、また、図８は、上半身側支持部１０が起立位置にある状態における床支持体１とベース体２とを上方から視た状態で示している。
【００２２】
また、図９は、連係移動手段３を構成する第一リンクバー３１と第二リンクバー３２との接合部分を構成する各部品を分離した状態として、また、図１０は、かかる第一リンクバー３１とベース体２との接合部分を構成する各部品を分離した状態として、それぞれ示している。また、図１１は、図１ないし図１０に示される例における第一リンクバー３１とベース体２側との接合部分を変更させた例を示しており、図１２は、図１ないし図１０に示される例におけるリンクアーム３０と第二リンクバー３２との接合部分を変更させた例を示している。
【００２３】
この実施の形態にかかるベッドは、少なくとも、ベッド使用者の上半身側を必要に応じて起きあがらせるように、マットレスなどの寝具Ｍを支持する床支持体１の一部を起伏可能に構成させてなるものである。
【００２４】
かかるベッドは、（１）マットレスなどの寝具Ｍを下方から支持する、つまり、かかる寝具Ｍが載せおかれる床支持体１と、（２）この床支持体１を移動可能に支持するベース体２とを有している。
【００２５】
床支持体１は、ベース体２上に、ベッドの長さ方向に沿ってスライド移動可能となるように支持されている。
【００２６】
また、この床支持体１は、少なくとも、ベッド使用者の上半身側が位置されるマットレスなどの寝具Ｍの一部を下方より支持する上半身側支持部１０を、主体部１１（他部）に対し、回動起立可能に組み付けて構成されている。
【００２７】
また、この床支持体１には、モータ等の駆動手段１２によって回転駆動される主軸１３と、この主軸１３の正転に伴って起立するようにこの主軸１３に組み付けられた上半身側支持部１０の支持アーム１４とが備えられている。そして、この支持アーム１４の起立に伴って上半身側支持部１０が起立されるようにしてある。
【００２８】
そして、かかるベッドは、この上半身側支持部１０の起立方向への移動量に応じて床支持体１をベッドのヘッド側Ｈｄにスライド移動させると共に、この上半身側支持部１０の伏倒方向への移動量に応じて床支持体１をベッドのフット側Ｆｔにスライド移動させる連係移動手段３を備えている。
【００２９】
これにより、この実施の形態にかかるベッドにあっては、
（１）駆動手段１２を主軸１３を正転させるように駆動させることによって、支持アーム１４を起立させることができ、この支持アーム１４の起立によって上半身側支持部１０を所望の角度分起立させることができる。これにより、ベッド使用者の上半身を所望の位置に起きあがらせることができる。
（２）また、前記連係移動手段３によって、上半身側支持部１０の起立方向への移動量に応じて床支持体１をベッドのヘッド側Ｈｄにスライド移動させることができることから、前記のように上半身を起きあがらせたベッド使用者の上半身をベッドのヘッド側Ｈｄにとどまらさせることができる。これにより、上半身を起きあがらせない状態においてベッド使用者の手の届く範囲と上半身を起きあがらせた状態においてベッド使用者の手の届く範囲とができるだけ異ならないようにすることができる。
（３）また、駆動手段１２を主軸１３を逆転させるように駆動させることによって、起立された支持アーム１４を伏倒させることができ、この支持アーム１４の伏倒によって上半身側支持部１０を所望の角度分伏倒させることができる。これにより、ベッド使用者の上半身を所望の位置に降ろすことができる。
（４）また、前記連係移動手段３によって、上半身側支持部１０の伏倒方向への移動量に応じて床支持体１をベッドのフット側Ｆｔにスライド移動させることができることから、この場合にあっても、ベッド使用者の上半身をベッドのヘッド側Ｈｄの一定位置にとどまらさせることができる。
【００３０】
特に、この実施の形態にあっては、前記連係移動手段３によって、ベッド使用者の頭部が、常時仮想の鉛直線上に位置されるように、上半身側支持部１０の移動量に応じて床支持体１がスライド移動されるようにしてある。
【００３１】
すなわち、この実施の形態にあっては、水平位置にある前記上半身側支持部１０の起伏動作の中心となる回動中心１０ａとこの上半身側支持部１０の自由端１０ｂとの間の長さｘから、ある起立位置にあるこの上半身側支持部１０と水平線とがなす角θのｘ・ｃｏｓθとなる長さを減じた長さｙ分、この上半身側支持部１０の起立移動に伴って床支持体１がベッドのヘッド側Ｈｄにスライド移動されるようにしてある。（図１〜図４参照）
【００３２】
これにより、この実施の形態にあっては、上半身を起きあがらせない状態においてベッド使用者の手の届く範囲と上半身を起きあがらせた状態においてベッド使用者の手の届く範囲とを、ほぼ一致させることができるようになっている。
【００３３】
また、この実施の形態にあっては、主軸１３が、ベッドの幅方向に回転軸線を沿わせる向きに配されている。
【００３４】
また、連係移動手段３が、
（１）主軸１３の正転に伴ってベッドのヘッド側Ｈｄにアーム端側を移動させるようにこの主軸１３に組み付けられたリンクアーム３０と、
（２）主軸１３との間にベッドの長さ方向において間隔を置いて配されると共に、ベース体２に一端側を回動可能に組み付け、（以下、この組み付け箇所を支点部３３と称する。）かつ、この一端と他端との間において床支持体１に回動可能に組み付けられた（以下、この組み付け箇所を作用点部３４と称する。）第一リンクバー３１と、
（３）ベッドの長さ方向に沿って配されると共に、リンクアーム３０のアーム端３０ａ側に一端側を回動可能に組み付け、かつ、第一リンクバー３１の他端側に他端側を回動可能に組み付けさせた（以下、この組み付け箇所を力点部３５と称する。）第二リンクバー３２とを備えて構成してある。
【００３５】
これにより、この実施の形態にあっては、主軸１３の正転によって上半身側支持部１０が起立方向に移動されると共に、この主軸１３の正転によって移動されるリンクアーム３０により第一リンクバー３１の他端側をベッドのヘッド側Ｈｄに引っ張ることができる。このように引っ張られる第一リンクバー３１は、その支点部３３においてベース体２に回動可能に組み付けていると共に、この一端と他端との間にある作用点部３４において床支持体１に回動可能に組み付けられていることから、このリンクアーム３０の移動により床支持体１はベッドのヘッド側Ｈｄにスライド移動される。
【００３６】
また、主軸１３の逆転によって起立された上半身側支持部１０が伏倒方向に移動されると共に、この主軸１３の逆転によって移動されるリンクアーム３０により第一リンクバー３１の他端側をベッドのフット側Ｆｔに押し込むことができる。このように押し込まれる第一リンクバー３１は、その支点部３３においてベース体２に回動可能に組み付けていると共に、この一端と他端との間にある作用点部３４において床支持体１に回動可能に組み付けられていることから、このリンクアーム３０の移動により床支持体１はベッドのフット側Ｆｔにスライド移動される。
【００３７】
これにより、上半身側支持部１０の起立方向への移動量に応じて床支持体１をベッドのヘッド側Ｈｄにスライド移動させることができると共に、この上半身側支持部１０の伏倒方向への移動量に応じて床支持体１をベッドのフット側Ｆｔにスライド移動させることができる。
【００３８】
連係移動手段３は、前記リンクアーム３０、第一リンクバー３１および第二リンクバー３２の三点から構成できることから、シンプルかつ最小の部品点数をもって、ベッドを前記のように動作させることができる。
【００３９】
また、これらの連係移動手段３を、寝具Ｍにより上方から覆われるベッド内部、つまり、床支持体１およびベース体２の内方に納めさせることができ、ベッドの外観性を損なうことなく、ベッドを前記のように動作させることができる。また、連係移動手段３がベッドの使用上の邪魔となることもない。
【００４０】
また、前記力点部３５と作用点部３４との間のストロークを変更することにより、リンクアーム３０の移動量、つまり、主軸１３の回転量に対する床支持体１のスライド移動量を容易に変更することができる。具体的には、作用点部３４が支点部３３に近付くほど、床支持体１のスライド移動量を小さくすることができ、作用点部３４が力点部３５に近付くほど、床支持体１のスライド移動量を大きくすることができる。
【００４１】
（ベース体２）
図示の例では、ベース体２は、ベッドの長さ方向に沿った一対のフレーム構成体２０、２０と、ベッドの幅方向に沿った一対のフレーム構成体２１、２１とを有し、これらのフレーム構成体２０、２１を組み合わせてなる枠状体として構成されている。すなわち、ベース体２は、平面視の状態において、方形の枠状をなすように構成されている。
【００４２】
図示の例では、かかるベース体２におけるベッドの幅方向に沿った一対のフレーム構成体２１、２１にそれぞれ、キャスター付きの脚２２が取り付けられており、この脚２２によってベッドが床面上に支持されるようになっている。
【００４３】
必要に応じて、このように構成されるベース体２のベッドの幅方向に沿った一対のフレーム構成体２１、２１の一方にヘッドボードが、また、かかる一対のフレーム構成体２１、２１の他方にフットボードが取り付けられる。
【００４４】
（床支持体１）
図示の例では、床支持体１は、上半身側支持部１０と、この上半身側支持部１０が回動起立可能に組み付けられた主体部１１とから構成されている。
【００４５】
床支持体１の主体部１１は、ベッドの長さ方向に沿った一対のフレーム構成体１１ａ、１１ａと、ベッドの幅方向に沿った一対のフレーム構成体１１ｂ、１１とを有し、これらのフレーム構成体１１ａ、１１ｂを組み合わせてなる枠状体として構成されている。すなわち、主体部１１は、平面視の状態において、方形の枠状をなすように構成されている。
【００４６】
この主体部１１の四隅には、それぞれ、ベース体２におけるベッドの長さ方向に沿ったフレーム構成体２０の上面に摺接するローラ１１ｃと、このベース体２におけるベッドの長さ方向に沿ったフレーム構成体２０の内面に摺接するローラ１１ｄとからなる案内ローラ組が設けられており、この案内ローラ組によって、床支持体１はベッドの長さ方向に沿ってスライド移動可能にベース体２に支持されるようになっている。
【００４７】
上半身側支持部１０は、図示の例では、ベッドの長さ方向に沿った一対のフレーム構成体１０ｃ、１０ｃを、ベッドのヘッド側Ｈｄにおいて、ベッドの幅方向に沿ったフレーム構成体１０ｄによって連接させ合わせることにより、構成されている。
【００４８】
上半身側支持部１０におけるベッドの長さ方向に沿った一対のフレーム構成体１０ｃ、１０ｃの外面間の間隔は、前記主体部１１を構成するベッドの長さ方向に沿った一対のフレーム構成体１１ａ、１１ａの内面間の間隔よりもやや小さくなるように構成されている。そして、図示の例にあっては、この上半身側支持部１０を構成するベッドの長さ方向に沿った一対のフレーム構成体１０ｃ、１０ｃにおけるベッドのフット側Ｆｔに向けられた端部を、それぞれ、前記主体部１１を構成するベッドの長さ方向に沿ったフレーム構成体１１ａに設けられた水平軸１１ｅを介して回動可能に組み付けることにより、この主体部１１に上半身側支持部１０が起立可能に組み付けられている。図示の例では、この上半身側支持部１０が水平位置に伏倒した状態において、主体部１１におけるベッドのヘッド側Ｈｄに向けられた端部から上半身側支持部１０の一部がベッドのヘッド側Ｈｄに向けて突き出されるようになっている。（図１、図７）
【００４９】
このように構成される上半身側支持部１０および主体部１１にはそれぞれ、金属製のネット状体などが張り込まれるものとされ、（図示は省略する。）このネット状体などによって寝具Ｍを支持するようになっている。
【００５０】
また、図示の例では、前記のように構成される主体部１１に、前記主軸１３が組み付けられている。
【００５１】
かかる主軸１３は、主体部１１を構成するベッドの幅方向に沿った一対のフレーム構成体１１ｂ、１１ｂのうちのベッドのヘッド側Ｈｄに位置されるフレーム構成体１１ｂと、前記上半身側支持部１０の水平軸１１ｅの形成位置との間において、この主体部１１を構成するベッドの長さ方向に沿った一対のフレーム構成体１１ａ、１１ａ間に亘って回転可能に架設されている。
【００５２】
かかる主軸１３の両端部には、それぞれ、一端をこの主軸１３に止め付けられた支持アーム１４が設けられている。この支持アーム１４の他端には、上半身側支持部１０を構成するベッドの長さ方向に沿ったフレーム構成体１０ｃの下面に摺接されるローラ１４ａが設けられており、主軸１３の正転（図６におけるＦ１方向の回転）によって起立されるこの支持アーム１４は、このローラ１４ａを上半身側支持部１０を構成するベッドの長さ方向に沿ったフレーム構成体１０ｃの下面に摺接させながら、この上半身側支持部１０を起立させるようになっている。
【００５３】
駆動手段１２は、図示の例では、図中符号１２ａで示される電動アクチュエータによって構成されている。
【００５４】
（連係移動手段３）
図示の例では、連係移動手段３を構成するリンクアーム３０は、一端を主軸１３に止め着けさせており、この主軸１３の正転によって、アーム端３０ａ（主軸１３へ止め着けられた一端と反対の他端）がベッドのヘッド側Ｈｄに移動するようになっている。このリンクアーム３０は、床支持体１の主体部１１を構成するベッドの長さ方向に沿った一方のフレーム構成体１１ａ側に近接した位置に配されるようになっている。
【００５５】
図示の例では、このリンクアーム３０は、主軸１３からの支持アーム１４の突き出し位置と反対の位置から突き出すように設けられている。具体的には、上半身側支持部１０が水平位置に伏倒した状態において、支持アーム１４は主軸１３からベッドのヘッド側Ｈｄに突き出し、リンクアーム３０はベッドのフット側Ｆｔに突き出すように配されている。
【００５６】
そして、リンクアーム３０は、主軸１３の正転によって、アーム端３０ａを下方に移動させるように移動されるようになっている。
【００５７】
また、連係移動手段３を構成する第一リンクバー３１は、主軸１３と、ベース体２を構成するベッドのフット側Ｆｔにあるベッドの幅方向に沿ったフレーム構成体２１との間に位置されるように配されている。
【００５８】
この第一リンクバー３１の支点部３３は、ベース体２を構成するベッドの長さ方向に沿ったフレーム構成体２０の一方であって、前記リンクアーム３０が配される側と反対の側にあるこのフレーム構成体２０に設けられたブラケット３３ａに形成された軸穴３３ｂと、第一リンクバー３１の一端部に設けられたこの第一リンクバー３１の長さ方向に長い長穴３３ｃとに、上下方向に軸部を沿わせたボルトなどの軸状連結体３３ｄを入れ込ませ、このブラケット３３ａと第一リンクバー３１との組み付けをなすことにより、構成されている。第一リンクバー３１は、前記リンクアーム３０による第二リンクバー３２のベッドの長さ方向に沿った移動によって前記作用点部３４を中心にこの支点部３３側を弧状に運動させることとなるが、前記長穴３３ｃによってこの弧状の運動は妨げられることはない。なお、図示の例とは逆に、前記ブラケット３３ａに形成された軸穴をベッドの幅方向に長い長穴状に構成しておいても良い。
【００５９】
なお、図１１に示されるように、ベース体２のベッドの長さ方向に沿ったフレーム構成体２０に備え付けさせたブラケット３３ａに一端を回動可能に組み付けさせると共に、他端を第一リンクバー３１の一端に回動可能に組み付けさせたレバーアーム３６によって、第一リンクバー３１の前記弧状の運動を妨げないようにしておくこともできる。このようにした場合、前記長穴３３ｃと軸状連結体３３ｄとによってこの弧状の運動を許容する場合に比べ、摩擦抵抗が生じ難く、第一リンクバー３１を通じた床支持体１のスライド移動を一層スムースなものとすることができる。
【００６０】
また、第一リンクバー３１の作用点部３４は、床支持体１を構成する主体部１１におけるベッドの長さ方向に沿った一対のフレーム構成体１１ａ、１１ａ間に架設された架設体１１ｆに形成された軸穴と、この第一リンクバー３１の支点部３３と力点部３５との間に設けられた軸穴とに、上下方向に軸部を沿わせたボルトなどの軸状連結体を入れ込ませ、このブラケット３３ａと第一リンクバー３１との組み付けをなすことにより、構成されている。
【００６１】
また、第一リンクバー３１の力点部３５は、第二リンクバー３２におけるベッドのフット側Ｆｔに向けられた端部と第一リンクバー３１における前記支点部３３と反対の端部との接し合う部分に形成されている。
【００６２】
第二リンクバー３２は、ベッドの長さ方向に沿って長い棒状をなすように構成されている。そして、この第二リンクバー３２のベッドのヘッド側Ｈｄに向けられた端部をリンクアーム３０のアーム端３０ａに軸線をベッドの幅方向に沿わせた軸体によって回動可能に組み付けさせていると共に、ベッドのフット側Ｆｔに向けられた端部を第一リンクバー３１における前記支点部３３と反対の端部に対しユニバーサルジョイント３５ａを介して組み付けさせている。このユニバーサルジョイント３５ａによって、前記力点部３５が形成されている。すなわち、このユニバーサルジョイント３５ａによって、リンクアーム３０が主軸１３の正転によってベッドのヘッド側Ｈｄにアーム端３０ａを移動させることにより生じる第二リンクバー３２の傾動を許容するようにしてある。
【００６３】
なお、図１２に示されるように、リンクアーム３０のアーム端３０ａに対し第二リンクバー３２を、分離可能な状態で回動可能に接合させておくと共に、リンクアーム３０と分離された第二リンクバー３２の一端を固定するブラケット３７をベース体２におけるベッドの長さ方向に沿ったフレーム構成体２０に備え付けさせておくようにしておけば、主軸１３の回転駆動によって床支持体１がスライド移動しないようにする動作も必要に応じて選択できる。図１２においては、リンクアーム３０のアーム端３０ａに形成された軸穴と第二リンクバー３２の一端に形成させた軸穴とに水平向きで差し通される固定ピン３８の頭部側と反対の端部をスナップピン３９で止めるようにして、このリンクアーム３０のアーム端３０ａに対し第二リンクバー３２を、分離可能な状態で接合させている。そして、スナップピン３９を外して取り外された固定ピン３８を第二リンクバー３２とブラケット３７に設けた穴３２ａ、３７ａに通して再びこの固定ピン３８にスナップピン３９を取り付けることにより、このブラケット３７に第二リンクバー３２の一端を固定することができるようにしてある。
【００６４】
【発明の効果】
この発明にかかるベッドによれば、上半身側支持部の起立方向への移動量に応じて床支持体をベッドのヘッド側にスライド移動させることができることから、上半身を起きあがらせたベッド使用者の上半身をベッドのヘッド側にとどまらさせることができ、上半身を起きあがらせない状態においてベッド使用者の手の届く範囲と上半身を起きあがらせた状態においてベッド使用者の手の届く範囲とができるだけ異ならないようにするようにすることができる。
【図面の簡単な説明】
【図１】ベッドの側面構成図
【図２】ベッドの側面構成図
【図３】ベッドの側面構成図
【図４】ベッド使用者の頭部を仮想の鉛直線にほぼ沿わせるようにこのベッド使用者の上半身を起きあがらせるために必要となる条件を示した概念図
【図５】ベッドの要部斜視構成図
【図６】ベッドの要部斜視構成図
【図７】ベッドの要部平面構成図
【図８】ベッドの要部平面構成図
【図９】ベッドの要部分解斜視図
【図１０】ベッドの要部分解斜視図
【図１１】ベッドの要部の変更例を示す分解斜視図
【図１２】ベッドの要部の変更例を示す分解斜視図
【符号の説明】
Ｍ　寝具
１　床支持体
１０　上半身側支持部
１２　駆動手段
１３　主軸
１４　支持アーム
２　ベース体
３　連係移動手段
【図１】
2004016587.tif 000003
【図２】
2004016587.tif 000004
【図３】
2004016587.tif 000005
【図４】
2004016587.tif 000006
【図５】
2004016587.tif 000007
【図６】
2004016587.tif 000008
【図７】
2004016587.tif 000009
【図８】
2004016587.tif 000010
【図９】
2004016587.tif 000011
【図１０】
2004016587.tif 000012
【図１１】
2004016587.tif 000013
【図１２】
2004016587.tif 000014